(57)【要約】【課題】ファンデーション、口紅、アイシャドウ、さらには食品、薬等の種々の商品見本等を少量添付した商品見本収納容器を提供する。【解決手段】商品見本を収納する見本収納容器において、前記見本収納容器は、見本を収納するトレーと、前記トレーの底部に固定する固定部と前記トレーの表面を蓋する蓋部とを一体的に構成した台紙とを備え、前記トレーは台紙によって保持されるべく構成し、前記台紙には商品説明や販売促進のための文章等の情報を十分に記載する。この結果、消費者は、本見本収納容器から見本商品に関する正確な情報を容易に入手することができる。【選択図】    図３
0003106600.tif 000002
【実用新案登録請求の範囲】
【請求項１】
商品見本を収納する見本収納容器において、前記見本収納容器は、見本および／または用具を収納するトレーと、前記トレーの底部に固定する固定部と前記トレーの表面を蓋する蓋部とを一体的に構成した台紙とを備え、前記トレーは前記台紙によって保持されるべく構成したことを特徴とする見本収納容器。
【請求項２】
前記トレーの底部と台紙の固定部とは接着手段により固定されることを特徴とする請求項１に記載の見本収納容器。
【請求項３】
前記トレーは、トレーに収納した見本を覆う蓋を有することを特徴とする請求項１または請求項２に記載の見本収納容器。
【請求項４】
前記トレーはシート材を成形して構成したことを特徴とする請求項１〜請求項３のいずれかに記載の見本収納容器。
【請求項５】
前記シート材は、紙またはプラスチックフィルムであることを特徴とする請求項４に記載の見本収納容器。
【請求項６】
前記トレーは一定の厚みを有する板材で構成し、この板材に見本収納部を形成したことを特徴とする請求項１または請求項２に記載の見本収納容器。
【請求項７】
前記トレーは、見本収納部が複数、形成されていることを特徴とする請求項１〜６のいずれかに記載の見本収納容器。
【請求項８】
前記台紙には、商品見本の情報を印刷していることを特徴とする請求項１〜７のいずれかに記載の見本収納容器。
【請求項９】
前記台紙の蓋部は、商品見本の情報印刷スペースを増加するために複数に折り曲げ可能な蓋として形成されていることを特徴とする請求項８に記載の見本収納容器。
【考案の詳細な説明】
【技術分野】
【０００１】
本考案は、ファンデーション、口紅、アイシャドウ、さらには食品、薬等の種々の商品見本等を少量添付した商品見本収納容器に関するものである。
【背景技術】
【０００２】
従来より、上述のような見本収納容器は、商品説明や販売促進のための文章を容器表面、或いは容器を収納する袋や箱に印刷（記載）し、販売促進のために広く頒布できる構成となっている。
【０００３】
この種の見本用容器の一例として、例えば化粧品、菓子、錠剤薬、等を収納するブリスターパックなどが良く知られている（特許文献１、特許文献２）。
【０００４】
【特許文献１】特開平１１−１７８６３４号公報
【特許文献２】特開平９−２５５０３０号公報
【０００５】
上記特許文献１に示す見本収納容器の概略構成を説明すると、図６は見本収納容器の正面図およびｃ−ｃ断面図である。
図６において、見本収納容器は、ポリエチレン・ポリエステル系の合成紙で形成された台紙（基板）１０１と、台紙１０１の表面全面にラミネートされたポリエステル製の極薄の透明なフィルム１０２と、台紙の裏面の一部に接着されたポリエチレン・ポリエステル系の合成紙で形成された薄いシート１０３および両面接着テープ１０４とから構成されている。
【０００６】
台紙１０１には、商品見本としての口紅を収容するための収納孔１０５が４つ貫通形成されており、この台紙の表面の全面には前記フィルム１０２が予めラミネートされており、このフィルムが各収納孔の一方の開口端を塞いでいる。
また、シート１０３は、台紙の４つの収納孔１０５を全て塞ぐに足りる大きさを有しており、台紙１０１に張りつけられて台紙１０１の他方側の開口端を塞いでいる。
上記のように構成された見本収納容器は、商品説明や販売促進のための文章を合わせて記載し郵送なども可能なため、広く使用されている。
【０００７】
また特許文献２に記載された商品収納容器の概略構成を説明すると、図７（イ）は同容器の斜視図、（ロ）は同容器のＡ−Ａ断面図である。
この容器は、感熱性（あるいは圧着性）のホットメルト接着材１１２を台紙１１１の表面に塗布または貼付しておき、商品Ｂの入った透明のシート材で形成された収納部１１３を台紙上に載置し、収納部１１３のフランジ１１３ａを前記接着材１１２を利用して台紙上に接着固定する構成となっている（いわゆる圧着ブリスターパックといわれるものである）。この商品収納容器も台紙上に、商品説明や販売促進のための文章を合わせて記載するができるとともに、文具や工具等商品の中身が見える包装形態として広く使われている。
【考案の開示】
【考案が解決しようとする課題】
【０００８】
しかしながら、前記従来の見本収納容器は容器の材質がプラスチックやアルミラミネートであり、且つ表面面積が小さいため見本容器上に商品説明や販売促進のための情報を十分に印刷できない難点があった。そこで、商品説明や販売促進のための情報が印刷された台紙を別に用意しておき、その台紙上に見本商品を固着したり、挟み込んで使うことが多い。
【０００９】
また、文献２に記載されている圧着ブリスターパックは台紙上に商品説明等の文字を印刷することはできるが、中身である見本を取り出す際には、ブリスター部分を台紙から剥がさなければならず、剥がした途端に容器としての機能が消滅したり、台紙の表面もいっしょに剥ぎ取られてしまうため、台紙上に印刷された情報が読み取れなくなってしまう等の問題がある。さらに、従来の見本収納容器は、見本を収納するトレーと台紙を別々に製作し、手作業でトレーを台紙に差し込んだり、糊付けせねばならない二次加工が発生する問題点もあった。
【００１０】
そこで、本考案は、見本収納容器を、見本を収納するトレーと、前記トレーを保持する台紙の二つの部材で形成し、さらに、台紙部分を図３、図４に示すように、トレーを固定する固定部とトレーの蓋を形成する蓋部にわけ、台紙上に商品説明や販売促進のための文章等の情報を充分に記載できるようにすることにより、上記問題点を解決することを目的とする。また、見本収納容器の見本収納部を、成形したブリスターパックの内側（即ちブリスターパックと台紙の間（図７に示す状態））ではなく、ブリスターパックの一部を外側から内側に凹ませ（図１に示す状態）、その凹んだ部分に見本を収納することでトレーとしての機能を果たさせ、ブリスターを剥がさなくても見本を取り出せるようにして、上記従来の問題点を解決することを目的とする。
【００１１】
本考案によれば、台紙に商品説明や販売促進のための情報を十分に記載（印刷）するスペースを確保できるため、消費者は、その情報を読み取るだけで容易に商品に関する充分な情報を容易に入手することができる。また、中身を取り出すためにブリスター部分を台紙から剥がした途端に容器としての機能が消滅すると同時に、商品説明文も読みにくくなるという従来のブリスターパックが有する問題点を解消することができる。
【課題を解決するための手段】
【００１２】
このため、本考案が採用した技術解決手段は、
商品見本を収納する見本収納容器において、前記見本収納容器は、見本および／または用具を収納するトレーと、前記トレーの底部に固定する固定部と前記トレーの表面を蓋する蓋部とを一体的に構成した台紙とを備え、前記トレーは前記台紙によって保持されるべく構成したことを特徴とする見本収納容器である。
また、前記トレーの底部と台紙の固定部とは接着手段により固定されることを特徴とする見本収納容器である。
また、前記トレーは、トレーに収納した見本を覆う蓋を有することを特徴とする見本収納容器である。
また、前記トレーはシート材を成形して構成したことを特徴とする見本収納容器である。
また、前記シート材は、紙またはプラスチックフィルムであることを特徴とする見本収納容器である。
また、前記トレーは一定の厚みを有する板材で構成し、この板材に見本収納部を形成したことを特徴とする見本収納容器である。
また、前記トレーは、見本収納部が複数、形成されていることを特徴とする見本収納容器である。
また、前記台紙には、商品見本の情報を印刷していることを特徴とする見本収納容器である。
また、前記台紙の蓋部は、商品見本の情報印刷スペースを増加するために複数に折り曲げ可能な蓋として形成されていることを特徴とする見本収納容器である。
【考案の効果】
【００１３】
本考案によれば、見本収納容器を、見本を収納するトレーと、前記トレーを保持する台紙の二つの部材で形成し、台紙側に商品説明や販売促進のための文章等の情報を十分に記載できるスペースを確保したため、そのスペースに商品情報を記載するだけで消費者は、見本商品に関する情報を容易に入手することができる。また、本考案では、見本収納容器を構成するトレーと台紙が製造段階で固着されるため、トレーと台紙を別個に製造し、その後それらを糊等を使って手作業で接着させるという手間とコストを省くことができる。
【考案を実施するための最良の形態】
【００１４】
本考案は、商品見本を収納する見本収納容器において、前記見本収納容器は、見本を収納するトレーと、前記トレーの底部に固定する固定部と前記トレーの表面を蓋する蓋部とを一体的に構成した台紙とを備え、前記トレーは台紙によって保持されるべく構成し、前記台紙には商品説明や販売促進のための文章等の情報を十分に記載する。この結果、消費者は、本見本収納容器から見本商品に関する正確な情報を容易に入手することができる。
【実施例】
【００１５】
以下、本考案にかかる商品見本用容器の実施例を図面を参照して説明する。尚、以下に説明する実施例での見本用容器は、口紅等の化粧品を商品見本とした態様である。
【００１６】
図１は本考案に係る第１実施例としての商品見本収納容器を構成するトレーの平面図及び断面図、図２はトレーを保持する台紙の斜視図、図３は台紙にトレーを取り付けた状態の平面図および断面図である。
【００１７】
図１において、１はトレーであり、このトレーはプラスチックフィルム（シート）を成形して構成したものであり、トレーには商品見本を収納する凹部イ、ロ、ハ、ニおよび周辺部１ａが一体に形成されている。前記凹部には適宜口紅等の見本用の商品見本（口紅等）２が収納される。なお、トレー１は、一般的には薄いプラスチックフィルムを真空成形、圧空成形、圧縮成形、熱成形等により成形して構成する。しかし、前述したフィルム（シート材）に限ることはなく、一定の厚みをもつダンボール等の厚紙、やスチロール等のプラスチック（生分解性プラスチック等も含む）の板、あるいは木板等を使用し、これらの板材に見本収納用の穴を開けてトレーとすることもできる。
【００１８】
トレーの凹部イ、ロ、ハ、ニに商品見本を収納する際は、直接凹部イ、ロ、ハ、ニに見本を収納することもできるが、品質等を考慮して、図示せぬ金属製あるいはプラスチック製の小皿に口紅、ファンデーション、アイシャドー等の化粧品を充填したものを前記凹部イ、ロ、ハ、ニに嵌合保持するようにしてもよい。
また、凹部イ、ロ、ハ、ニの形状は必ずしも円形である必要はなく、四角形、菱形等どんな形状でもよい。また、凹部には商品見本だけでなく、スポンジやチップ等の化粧用具を収納することもできる。
【００１９】
図２において、３は台紙であり、この台紙３は、前記トレーの底部に固定する固定部３ａと前記トレーの表面を蓋する蓋部３ｃとが一体的に構成されている。具体的には、紙等のシート材を、トレーの厚み代３ｂをとって、折り曲げることができるように構成されており、折り曲げた一方の片を固定部３ａ、他方の片を蓋部３ｃとして構成する。また前記台紙３の固定部３ａには、接着材、ホットメルト接着材などの接着手段が塗布または貼付されている。さらにこの台紙３には、トレーを固定する固定部３ａの片面を除いて、目に触れる全ての部分に必要に応じて商品見本の説明文等を記載（印刷）することができる。この結果、台紙には従来では不可能であった多量の情報を記載することができ、宣伝効果等を高めることができる。
【００２０】
前記台紙３の固定部３ａには、図３の断面図に示すようにトレー１の裏側（凹部イ、ロ、ハ、ニの裏側および周辺部１ａの裏側）を前記接着手段４を利用して固定する。そして、図３に示すように台紙の厚み代３ｂを取って、蓋部３ｃを折り曲げ可能に構成し、この蓋部３ｃをトレー１の表面側に折り曲げる。こうして、商品見本収納容器が完成する。なお、台紙３には、トレー１に収納した見本商品の説明や販売促進のための文章等の情報が十分に記載されている。
【００２１】
上記構成からなる商品見本収納容器では、商品見本を取り出す時には、台紙３の蓋部３ｃを開くことでトレー１の凹部イ、ロ、ハ、ニに収納した見本を容易に使用することができる。また、利用者は使用時に台紙に記載した商品情報を読みながら、正確な商品の情報を知ることができる。そして使用後は、再び蓋部３ｃによって蓋をすることで、見本商品の再使用を可能にしている。
【００２２】
次に本考案の第２実施例を説明する。
図４は本考案に係る第２実施例としての商品見本収納容器を構成するトレーの斜視図、前記トレーを保持する台紙および商品見本の斜視図、図５は前記トレーを保持する他の形態の台紙の斜視図である。
【００２３】
図４において、２１はトレーであり、このトレー２１はプラスチックフィルム（シート）を成形して構成したものであり、トレー２１には商品見本２２を収納する複数の凹部イ、ロおよび周辺部２１ａが一体に形成されている。前記凹部イ、ロには適宜口紅等の見本用の商品見本（口紅等）２２が収納される。また、トレー２１には必要に応じて図示のようにトレーの表面を覆うことができる蓋２１ｂを一体に形成する。トレー２１は、一般的には薄いプラスチックフィルムを真空成形、圧空成形、圧縮成形、熱成形等により成形して構成する。しかし、前述したフィルム（シート材）に限ることはなく、一定の厚みをもつダンボール等の厚紙、やスチロール等のプラスチック（生分解性プラスチック等も含む）の板、あるいは木板等を使用し、これらの板材に見本収納用の穴を開けてトレーとすることもできる。そしてこのように形成したトレーには適宜手段によって蓋２１ｂを取り付けることができる。
【００２４】
トレー２１の凹部イ、ロに商品見本を収納する際は、直接凹部イ、ロに見本を収納することもできるが、品質等を考慮して、図示せぬ金属製あるいはプラスチック製の小皿に口紅、ファンデーション、アイシャドー等の化粧品を充填したものを前記凹部イ、ロに嵌合保持するようにしてもよい。
また、凹部イ、ロの形状は必ずしも円形である必要はなく、四角形、菱形等どんな形状でもよい。また、凹部の数も２個以上適宜個数形成することができる。さらに凹部には商品見本だけでなく、スポンジやチップ等の化粧用具を収納することもできる。
【００２５】
図４において、２３は台紙であり、この台紙２３は、前記トレー２１の底部に固定する固定部２３ａと前記トレー２１の表面を蓋する蓋部２３ｃとが一体的に構成されている。具体的には、紙等のシート材を、トレーの厚み代２３ｂをとって、折り曲げることができるように構成されており、折り曲げた一方の片を固定部２３ａ、他方の片を蓋部２３ｃとして構成する。また台紙の固定部２３ａには、感熱性のホットメルト接着材（フィルム）や従来公知の接着手段が塗布または貼付されている。この台紙２３には、トレー２１を固定する固定部２３ａの片面を除いて、目に触れる全ての部分に必要に応じて商品見本の説明文等が記載（印刷）されている。この結果、台紙には従来では不可能であった多量の情報を記載することができ、宣伝効果等を高めることができる。
【００２６】
上記前記台紙２３の固定部２３ａには、第１実施例と同様にトレー２１の裏側（凹部イ、ロの裏側および周辺部１ａの裏側）を前記ホットメルト接着材等の接着手段を使用して固定する。そして、第１実施例と同様に台紙の厚み代２３ｂを取って、蓋部２３ｃをトレー２１の表面側に折り曲げる。こうして、商品見本収納容器が完成する。なお、台紙２３には、トレー２１に収納した見本商品の説明や販売促進のための文章等の情報が十分に記載されている。
【００２７】
上記構成からなる商品見本収納容器では、商品見本を取り出す時には、台紙２３の蓋部２３ｃを開き、さらにトレー２１に蓋２１ｂがある場合にはトレーの蓋２１ｂを開くことで、トレー２１の凹部イ、ロに収納した見本を容易に使用することができる。また、利用者は使用時に台紙２３に記載した商品情報を読みながら、正確な商品の情報を知ることができる。そして使用後は、再びトレーの蓋２１ｂそして蓋部２３ｃにより蓋をすることで、見本商品の再使用を可能にしている。
【００２８】
図５に台紙の他の形態を示す。図５に示すように台紙の蓋部２３ｃにはさらに連続して折り畳み可能な複数の延長部２３ｅ，２３ｆを形成することができる。延長部は、適宜枚数とすることができる。このように蓋に延長部を設けることで、上述した台紙よりもさらに多量の見本商品の説明や販売促進のための文章等の情報を記載することができる。
【００２９】
以上、本実施形態の例を説明したが、商品見本としては、食品、化粧品、薬剤等広く対象とすることができ、またトレーの凹部には見本商品だけでなく、必要に応じて、化粧用具等を収納することができる。またトレーと台紙を固定する接着手段としては、従来公知の接着材、ホットメルト接着材、感圧接着材等、種々の接着材を使用することができる。  また、本考案はその精神又は主要な特徴から逸脱することなく他の色々な形で実施することができる。また、前述の実施例はあらゆる点で単なる例示に過ぎず、限定的に解釈してはならない。
【産業上の利用可能性】
【００３０】
本考案は、ファンデーション、アイシャドー、口紅、などのメークアップ化粧料の商品見本収納容器として利用することができる。また、トレーの凹部に中身を充填した後にトレーの表面をシール性の高いフィルムで被ったり、トレーの蓋部２１ｂのシール性を高めることにより、クリーム等の粘度の高い基礎化粧品の商品見本収納容器として利用することも可能である。
【図面の簡単な説明】
【００３１】
【図１】本考案の第１実施例としての商品見本収納容器のトレーの平面図および断面図である。
【図２】同台紙の斜視図である。
【図３】台紙にトレーを固定した状態の平面図および断面図である。
【図４】本考案の第２実施例としての商品見本収納容器のトレーの斜視図、同台紙の斜視図、及び商品見本の斜視図である。
【図５】他の形態の台紙の斜視図である。
【図６】従来の商品見本収納容器の平面図および断面図である。
【図７】他の従来の商品収納容器の斜視図および断面図である。
【符号の説明】
【００３２】
１                トレー
イ、ロ、ハ、ニ    凹部
１ａ              周辺部
２                商品見本
３                台紙
３ａ              固定部
３ｂ              厚み代
３ｃ              蓋部
４                接着剤
２１                トレー
２１ａ              周辺部
２１ｂ              蓋部
２２                商品見本
２３                台紙
２３ａ              固定部
２３ｂ              厚み代
２３ｃ              蓋部
２３ｅ，２３ｆ      延長部
【図１】
0003106600.tif 000003
【図２】
0003106600.tif 000004
【図３】
0003106600.tif 000005
【図４】
0003106600.tif 000006
【図５】
0003106600.tif 000007
【図６】
0003106600.tif 000008
【図７】
0003106600.tif 000009